(57)【要約】【課題】リモコンの使い勝手を向上させるとともに、テレビジョン受像機の操作を簡単にする。【解決手段】リモコン１００には、タッチパネル１０３とボタン１０１が設けられ、タッチパネル１０３の上半分の領域を指で触れながら時計回りまたは反時計回りにスライドさせる操作を行うと、この操作に対応して各種選択項目を選択するための制御信号が赤外線により送信され、例えば、テレビジョン受像機の機能選択画面が変化し、所望の機能を選択し実行させることができる。一方、タッチパネル１０３を上下左右に仮想的に４分割した各領域を指で一定時間以上触れると、この操作に対応する各種選択項目を選択するための制御信号が赤外線により送信され、例えば、テレビジョン受像機の番組予約画面が変化し、所望の番組を選択し予約することができる。【選択図】図１
2006279137.tif 000002
【特許請求の範囲】
【請求項１】
筐体に設けられたタッチパネルと、
前記タッチパネルが指で触れられた状態でスライドされたスライド位置を検出するスライド位置検出手段と、
前記タッチパネルが指で触れられた状態でスライドされたスライド方向を検出するスライド方向検出手段と、
前記タッチパネルが指で触れられた状態で一定時間以上停止していたタッチ位置を検出するタッチ位置検出手段と、
前記スライド位置検出手段によって検出された前記スライド位置と、前記スライド方向検出手段によって検出された前記スライド方向とに対応する制御信号、および前記タッチ位置検出手段によって検出された前記タッチ位置に対応する制御信号を生成する生成手段と、
前記生成手段によって生成された前記制御信号を送出する送出手段と
を備えることを特徴とするリモートコントローラ。
【請求項２】
前記タッチパネルは円形とされ、前記スライド位置検出手段によって前記タッチパネルの上半分を円弧状に指でスライドされたことが検出されたとき、前記生成手段は機能選択またはチャンネル選択のための制御信号を生成する
ことを特徴とする請求項１に記載リモートコントローラ。
【請求項３】
前記タッチパネルは円形とされ、前記スライド位置検出手段によって前記タッチパネルの下半分を円弧状に指でスライドされたことが検出されたとき、前記生成手段は音量調節のための制御信号を生成する
ことを特徴とする請求項１または２に記載リモートコントローラ。
【請求項４】
前記タッチパネルは円形とされ、前記タッチ位置検出手段によって前記タッチパネルの所定の位置が指で所定時間以上継続して触れられたことが検出されたとき、前記生成手段はカーソル移動のための制御信号を生成する
ことを特徴とする請求項１乃至３のいずれかに記載リモートコントローラ。
【請求項５】
リモートコントローラと、前記リモートコントローラによって制御される機器とからなるリモコンシステムであって、
前記リモートコントローラは、
筐体に設けられたタッチパネルと、
前記タッチパネルが指で触れられた状態でスライドされたスライド位置を検出するスライド位置検出手段と、
前記タッチパネルが指で触れられた状態でスライドされたスライド方向を検出するスライド方向検出手段と、
前記タッチパネルが指で触れられた状態で一定時間停止していたタッチ位置を検出するタッチ位置検出手段と、
前記スライド位置検出手段によって検出された前記スライド位置と、前記スライド方向検出手段によって検出された前記スライド方向とに対応する制御信号、および前記タッチ位置検出手段によって検出された前記タッチ位置に対応する制御信号を生成する生成手段と、
前記生成手段によって生成された前記制御信号を送出する送出手段と
を備え、
前記機器は、
前記リモートコントローラから送出された前記制御信号を受信する受信手段と、
前記受信手段によって受信された前記制御信号に対応して、ユーザインタフェース画面を生成する画面生成手段と、
前記画面生成手段によって生成された前記ユーザインタフェース画面において指示された機能を実行する実行手段と
を備える
ことを特徴とするリモコンシステム。
【請求項６】
タッチパネル有するリモートコントローラと、前記リモートコントローラによって制御される機器とからなるリモコンシステムを制御するリモコンシステム制御方法であって、
前記リモートコントローラは、
前記タッチパネルが指で触れられた状態でスライドされたスライド位置を検出するスライド位置検出ステップと、
前記タッチパネルが指で触れられた状態でスライドされたスライド方向を検出するスライド方向検出ステップと、
前記タッチパネルが指で触れられた状態で一定時間以上停止していたタッチ位置を検出するタッチ位置検出ステップと、
前記スライド位置検出ステップにおいて検出された前記スライド位置と、前記スライド方向検出ステップにおいて検出された前記スライド方向とに対応する制御信号、および前記タッチ位置検出ステップにおいて検出された前記タッチ位置に対応する制御信号を生成する生成ステップと、
前記生成ステップにおいて生成された前記制御信号を送出する送出ステップと
を備え、
前記機器は、
前記リモートコントローラから送出された前記制御信号を受信する受信ステップと、
前記受信ステップにおいて受信された前記制御信号に対応して、ユーザインタフェース画面を生成する画面生成ステップと、
前記画面生成ステップにおいて生成された前記ユーザインタフェース画面において指示された機能を実行する実行ステップと
を備える
ことを特徴とするリモコンシステム制御方法。
【請求項７】
タッチパネル有するリモートコントローラと、前記リモートコントローラによって制御される機器とからなるリモコンシステムを制御するリモコンシステム制御プログラムであって、
前記リモートコントローラに、
前記タッチパネルが指で触れられた状態でスライドされたスライド位置を検出するスライド位置検出ステップと、
前記タッチパネルが指で触れられた状態でスライドされたスライド方向を検出するスライド方向検出ステップと、
前記タッチパネルが指で触れられた状態で一定時間以上停止していたタッチ位置を検出するタッチ位置検出ステップと、
前記スライド位置検出ステップにおいて検出された前記スライド位置と、前記スライド方向検出ステップにおいて検出された前記スライド方向とに対応する制御信号、および前記タッチ位置検出ステップにおいて検出された前記タッチ位置に対応する制御信号を生成する生成ステップと、
前記生成ステップにおいて生成された前記制御信号を送出する送出ステップと
を実行させ、
前記機器に、
前記リモートコントローラから送出された前記制御信号を受信する受信ステップと、
前記受信ステップにおいて受信された前記制御信号に対応して、ユーザインタフェース画面を生成する画面生成ステップと、
前記画面生成ステップにおいて生成された前記ユーザインタフェース画面において指示された機能を実行する実行ステップと
を実行させることを特徴とするリモコンシステム制御プログラム。
【請求項８】
タッチパネルを有するリモートコントローラを制御するリモコン制御プログラムであって、
前記タッチパネルが指で触れられた状態でスライドされたスライド位置を検出するスライド位置検出ステップと、
前記タッチパネルが指で触れられた状態でスライドされたスライド方向を検出するスライド方向検出ステップと、
前記タッチパネルが指で触れられた状態で一定時間以上停止していたタッチ位置を検出するタッチ位置検出ステップと、
前記スライド位置検出ステップにおいて検出された前記スライド位置と、前記スライド方向検出ステップにおいて検出された前記スライド方向とに対応する制御信号、および前記タッチ位置検出ステップにおいて検出された前記タッチ位置に対応する制御信号を生成する生成ステップと、
前記生成ステップにおいて生成された前記制御信号を送出する送出ステップと
を前記リモートコントローラに実行させることを特徴とするリモコン制御プログラム。
【発明の詳細な説明】
【技術分野】
【０００１】
本発明はリモコンシステムに関し、特に、テレビジョン受像機等の機器を遠隔操作するリモコンシステムに関するものである。
【背景技術】
【０００２】
従来、テレビジョン受像機等を遠隔操作するリモートコントローラ（以下、リモコンと略記する）の操作部は、テレビジョン受像機が実行可能な各機能に対応した複数のキーが配置され、その各キーを押下することにより、各機能に対応する制御信号が赤外線等によってテレビジョン受像機に送信され、所望の機能をテレビジョン受像機に実行させることができるようになっている。
【０００３】
ところが、給湯器等の機器を遠隔操作するリモコンのように、浴室等の湿気の多い場所や水の付いた手で操作される恐れのある場所に設置されるリモコンの場合、従来のリモコンではキーと筐体の隙間から水が侵入し、機器が故障してしまう。そこで、リモコンの筐体の前面に、機器の制御指示画面が表示されるタッチパネルを設け、このタッチパネルの縦または横方向のいずれか一方に沿ってタッチパネルの表面を指等で擦ると、その移動方向および移動距離に応じてタッチパネルの制御指示画面が切替り、所望の制御指示画面の位置でタッチパネルの縦または横方向のいずれか他方に沿ってタッチパネルの表面を擦ることにより、その制御指示画面に応じた指示信号が機器に出力されるようにし、簡単な操作で機器の制御指示画面を順次切替えることができるとともに、機器を誤動作させることなく遠隔操作することができるようにしたものがある（例えば、特許文献１参照）。
【特許文献１】特開２００３−１１１１７３号公報
【発明の開示】
【発明が解決しようとする課題】
【０００４】
しかしながら、従来のリモコンでは、リモコンのボタンを見ながら操作しなければならなかった。また、タッチパネルの表面を擦ることによって操作することができるリモコンの場合、縦および横方向にタッチパネルの表面を擦る必要があり、テレビジョン受像機のリモコンのように片手で操作する場合には操作し辛く適していないという問題があった。
本発明はこのような状況に鑑みてなされたものであり、リモコンを見ることなく片手で簡単に操作することができるようにするものである。
【課題を解決するための手段】
【０００５】
請求項１に記載のリモートコントローラは、筐体に設けられたタッチパネルと、タッチパネルが指で触れられた状態でスライドされたスライド位置を検出するスライド位置検出手段と、タッチパネルが指で触れられた状態でスライドされたスライド方向を検出するスライド方向検出手段と、タッチパネルが指で触れられた状態で一定時間以上停止していたタッチ位置を検出するタッチ位置検出手段と、スライド位置検出手段によって検出されたスライド位置と、スライド方向検出手段によって検出されたスライド方向とに対応する制御信号、およびタッチ位置検出手段によって検出されたタッチ位置に対応する制御信号を生成する生成手段と、生成手段によって生成された制御信号を送出する送出手段とを備えることを特徴とする。
また、タッチパネルは円形とされ、スライド位置検出手段によってタッチパネルの上半分を円弧状に指でスライドされたことが検出されたとき、生成手段は機能選択またはチャンネル選択のための制御信号を生成するようにすることができる。
また、タッチパネルは円形とされ、スライド位置検出手段によってタッチパネルの下半分を円弧状に指でスライドされたことが検出されたとき、生成手段は音量調節のための制御信号を生成するようにすることができる。
また、タッチパネルは円形とされ、タッチ位置検出手段によってタッチパネルの所定の位置が指で所定時間以上継続して触れられたことが検出されたとき、生成手段はカーソル移動のための制御信号を生成するようにすることができる。
請求項５に記載のリモコンシステムは、リモートコントローラと、リモートコントローラによって制御される機器とからなるリモコンシステムであって、リモートコントローラは、筐体に設けられたタッチパネルと、タッチパネルが指で触れられた状態でスライドされたスライド位置を検出するスライド位置検出手段と、タッチパネルが指で触れられた状態でスライドされたスライド方向を検出するスライド方向検出手段と、タッチパネルが指で触れられた状態で一定時間停止していたタッチ位置を検出するタッチ位置検出手段と、スライド位置検出手段によって検出されたスライド位置と、スライド方向検出手段によって検出されたスライド方向とに対応する制御信号、およびタッチ位置検出手段によって検出されたタッチ位置に対応する制御信号を生成する生成手段と、生成手段によって生成された制御信号を送出する送出手段とを備え、機器は、リモートコントローラから送出された制御信号を受信する受信手段と、受信手段によって受信された制御信号に対応して、ユーザインタフェース画面を生成する画面生成手段と、画面生成手段によって生成されたユーザインタフェース画面において指示された機能を実行する実行手段とを備えることを特徴とする。
請求項６に記載のリモコンシステム制御方法は、タッチパネル有するリモートコントローラと、リモートコントローラによって制御される機器とからなるリモコンシステムを制御するリモコンシステム制御方法であって、リモートコントローラは、タッチパネルが指で触れられた状態でスライドされたスライド位置を検出するスライド位置検出ステップと、タッチパネルが指で触れられた状態でスライドされたスライド方向を検出するスライド方向検出ステップと、タッチパネルが指で触れられた状態で一定時間以上停止していたタッチ位置を検出するタッチ位置検出ステップと、スライド位置検出ステップにおいて検出されたスライド位置と、スライド方向検出ステップにおいて検出されたスライド方向とに対応する制御信号、およびタッチ位置検出ステップにおいて検出されたタッチ位置に対応する制御信号を生成する生成ステップと、生成ステップにおいて生成された制御信号を送出する送出ステップとを備え、機器は、リモートコントローラから送出された制御信号を受信する受信ステップと、受信ステップにおいて受信された制御信号に対応して、ユーザインタフェース画面を生成する画面生成ステップと、画面生成ステップにおいて生成されたユーザインタフェース画面において指示された機能を実行する実行ステップとを備えることを特徴とする。
請求項７に記載のリモコンシステム制御プログラムは、タッチパネル有するリモートコントローラと、リモートコントローラによって制御される機器とからなるリモコンシステムを制御するリモコンシステム制御プログラムであって、リモートコントローラに、タッチパネルが指で触れられた状態でスライドされたスライド位置を検出するスライド位置検出ステップと、タッチパネルが指で触れられた状態でスライドされたスライド方向を検出するスライド方向検出ステップと、タッチパネルが指で触れられた状態で一定時間以上停止していたタッチ位置を検出するタッチ位置検出ステップと、スライド位置検出ステップにおいて検出されたスライド位置と、スライド方向検出ステップにおいて検出されたスライド方向とに対応する制御信号、およびタッチ位置検出ステップにおいて検出されたタッチ位置に対応する制御信号を生成する生成ステップと、生成ステップにおいて生成された制御信号を送出する送出ステップとを実行させ、機器に、リモートコントローラから送出された制御信号を受信する受信ステップと、受信ステップにおいて受信された制御信号に対応して、ユーザインタフェース画面を生成する画面生成ステップと、画面生成ステップにおいて生成されたユーザインタフェース画面において指示された機能を実行する実行ステップとを実行させることを特徴とする。
請求項８に記載のリモコン制御プログラムは、タッチパネルを有するリモートコントローラを制御するリモコン制御プログラムであって、タッチパネルが指で触れられた状態でスライドされたスライド位置を検出するスライド位置検出ステップと、タッチパネルが指で触れられた状態でスライドされたスライド方向を検出するスライド方向検出ステップと、タッチパネルが指で触れられた状態で一定時間以上停止していたタッチ位置を検出するタッチ位置検出ステップと、スライド位置検出ステップにおいて検出されたスライド位置と、スライド方向検出ステップにおいて検出されたスライド方向とに対応する制御信号、およびタッチ位置検出ステップにおいて検出されたタッチ位置に対応する制御信号を生成する生成ステップと、生成ステップにおいて生成された制御信号を送出する送出ステップとをリモートコントローラに実行させることを特徴とする。
【発明の効果】
【０００６】
本発明のリモコンシステムによれば、リモコンのタッチパネルを円弧状に指でスライドさせたり、タッチパネルの所定の位置に触れたりすることにより、テレビジョン受像機等の機器の画面上に表示した操作画面を変化させ、所望の機能を指示することができるようにしたので、操作性を向上させることができる。
【発明を実施するための最良の形態】
【０００７】
図１および図２は、本発明が適用されるリモートコントローラ（以下リモコンと略記する）の一実施の形態の外観および操作方法を示す図である。同図に示すように、リモコン１００は、円形のボタン１０１と、ボタン１０１の周囲にドーナツ状に配置されたタッチパネル１０３等から構成されている。
【０００８】
リモコン１００は、図１に示すように、タッチパネル１０３に指で触れ、その指をタッチパネル１０３に触れたまま時計回りまたは反時計回りにスライドさせることによって操作したり、図２に示すように、タッチパネル１０３の上下左右の所定の位置に一定時間以上触れることにより十字キーと同様の操作を行ったりすることができるようになっている。
【０００９】
図３は、図１および図２に示したリモコン１００の構成例を示すブロック図である。同図に示すように、リモコン１００は、ボタン１０１と、インタフェース１０２と、タッチパネル１０３と、タッチモーションセンサ１０４と、制御部１０５と、ＬＥＤ（Light Emitting Diode）制御部１０６と、ＬＥＤ１０７と、発光制御部１１０と、発光部１１１とから構成されている。
【００１０】
ボタン１０１は、後述するように、カーソル上に表示されている項目を選択するときに操作される。インタフェース１０２は、ボタン１０１が操作されたときに出力される電気信号に対応するデジタルデータを制御部１０５に供給するようになっている。
【００１１】
タッチパネル１０３は、指等で触れられたとき、その位置を検出し、検出信号をタッチモーションセンサ１０４に供給するようになっている。この位置検出は、一定時間間隔で行われ、検出信号が逐次、タッチモーションセンサ１０４に供給されるようになっている。
【００１２】
タッチモーションセンサ１０４は、タッチパネル１０３より供給された検出信号およびその変化に基づいて、指がタッチパネル１０３の上半分の領域に触れているのかあるいは下半分の領域に触れているのかを判定する。また、タッチモーションセンサ１０４は、指が時計回りにタッチパネル１０３上を円弧状に移動しているのか、あるいは反時計回りに円弧状に移動しているのかを判定する。
【００１３】
また、タッチモーションセンサ１０４は、タッチパネル１０３より供給された検出信号およびその変化に基づいて、タッチパネル１０３上の所定の領域が指で一定時間以上触れられたとき、その領域がタッチパネル１０３を上下左右の４つの領域に仮想的に分割したときのどの領域であるかを判定する。さらに、タッチモーションセンサ１０４は、上記検出信号の変化に基づいて、指がタッチパネル１０３上に接触しながら移動する速度を判定することもできる。そして、これらの判定結果を示すデータを制御部１０５に供給するようになっている。
【００１４】
制御部１０５は、図７のフローチャートを参照して後述するように、タッチモーションセンサ１０４より供給された判定結果を示すデータに対応して各部を制御し、各種処理を実行するようになっている。
【００１５】
ＬＥＤ制御部１０６は、ＬＥＤ１０７を制御し、ＬＥＤ１０７の発光を制御するようになっている。ＬＥＤ１０７は、ＬＥＤ制御部１０６の制御により発光するようになっている。発光制御部１１０は、所定のコマンドに対応する制御信号を発光部１１１に供給し、発光部１１１の発光を制御するようになっている。発光部１１１は、発光制御部１１０から供給された制御信号に従って赤外線を発光し、所定のコマンドを送信するようになっている。
【００１６】
図４は、図１のリモコン１００によって制御可能なテレビジョン受像機２００の構成例を示すブロック図である。同図に示すように、テレビジョン受像機２００は、受光部２０１と、インタフェース（Ｉ／Ｆ）２０２と、制御部２０３と、オーバレイグラフィック処理部２０４と、音声処理部２０６と、チューナ２１０と、映像信号処理部２１１と、音声信号処理部２１２と、映像出力処理部２１３と、音声出力処理部２１４と、表示部２２０と、スピーカ２３０等から構成されている。
【００１７】
受光部２０１は、リモコン１００の発光部１１１より出射された赤外線を受光し、対応する電気信号に変換した後、Ｉ／Ｆ２０２に供給するようになっている。Ｉ／Ｆ２０２は、受光部２０１より供給された電気信号に対応する制御データを制御部２０３に供給するようになっている。制御部２０３は、Ｉ／Ｆ２０２より供給された制御データに基づいて各部を制御し、リモコン１００の操作に対応する各種処理を実行するようになっている。
【００１８】
オーバレイグラフィック処理部２０４は、制御部２０３の制御下、映像に重ね合わせる文字や図形からなるオーバレイグラフィックを生成し、映像出力処理部２１３に供給するようになっている。
【００１９】
音声処理部２０６は、制御部２０３からの指令に基づいて音声信号を生成し、音声出力処理部２１４に供給するようになっている。
【００２０】
チューナ２１０は、図示しないアンテナによって受信された受信信号から所定のチャンネルの映像音声信号を抽出し、映像信号を映像信号処理部２１１に供給し、音声信号を音声信号処理部２１２に供給するようになっている。
【００２１】
映像信号処理部２１１は、チューナ２１０より供給された映像信号に対して所定の処理を施した後、映像出力処理部２１３に供給するようになっている。また、映像信号に重畳された電子番組表を示す電子番組表データを抽出し、制御部２０３に供給するようになっている。音声信号処理部２１２は、チューナ２１０より供給された音声信号に対して所定の処理を施した後、音声出力処理部２１４に供給するようになっている。
【００２２】
映像出力処理部２１３は、オーバレイグラフィック処理部２０４によって生成されたオーバレイグラフィックを映像信号処理部２１１より供給された映像信号に重ね合わせた合成映像信号を生成し、表示部２２０に供給するようになっている。表示部２２０は、映像出力処理部２１３より供給された合成映像信号に対応する映像を画面に表示するようになっている。
【００２３】
音声出力処理部２１４は、音声信号処理部２１２より供給された音声信号と、音声処理部２０６より供給された音声信号を合成し、スピーカ２３０に供給するようになっている。スピーカ２３０は、音声出力処理部２１４より供給された音声信号を出力するようになっている。
【００２４】
図５は、テレビジョン受像機２００の表示部２２０に表示された機能選択画面例を示している。この機能選択画面は、いま視聴している番組の映像に重ね合わされて表示される。この機能選択画面には、選択可能な各機能に対応する選択項目が表示されている。この例では、録画した番組を見る機能に対応する選択項目「録画を見る」と、電子番組表を表示して所望の番組を予約する機能に対応する選択項目「予約する」と、各種設定データ等のデータを見る機能に対応する選択項目「データを見る」が表示されている。
【００２５】
各選択項目は円弧上に配置されており、リモコン１００の操作に応じて、各項目が左右の方向に円弧状に移動する。各選択項目が左方向に移動したとき、選択項目「データを見る」が画面中央に移動し、画面に隠れていた他の所定の選択項目が出現して表示され、他の選択項目と同様に左方向に移動する。
【００２６】
即ち、図１に示すように、タッチパネル１０３の上半分の領域に指で触れながら、指を時計回りの方向に円弧状に撫でるように動かすと、図５に示した機能選択画面において、画面上の各選択項目が右方向に移動する。また、タッチパネル１０３の上半分の領域に指で触れながら、指を反時計回りの方向に円弧状に撫でるように動かすと、画面上の各選択項目が左方向に移動する。
【００２７】
カーソルは画面中央に固定されており、リモコン１００を操作して選択項目を左右に移動させることにより、所望の選択項目をカーソル上に移動させた後、ボタン１０１を押下することにより、カーソル上にある選択項目を選択し実行することができるようになっている。このとき、カーソル上にある選択項目を反転表示するなどしてどの選択項目がカーソル上にあるのかを容易に把握することができるようにしてもよい。
【００２８】
いま、選択項目「予約する」が画面中央に移動し、ボタン１０１が押下され、選択項目「予約する」が選択されたものとする。その場合、制御部２０３は、図６に示すように、電子番組表と矩形カーソル２２１からなる番組予約のための操作画面（番組予約画面）に対応するオーバレイグラフィックを作成するようオーバレイグラフィック処理部２０４に指令する。
【００２９】
オーバレイグラフィック処理部２０４は、制御部２０３からの指令に基づいて、制御部２０３より供給された電子番組表のデータに基づいて、電子番組表と矩形カーソル２２１からなる番組予約画面に対応するオーバレイグラフィックを作成し、映像出力処理部２１３に出力する。映像出力処理部２１３は、オーバレイグラフィック処理部２０４より供給されたオーバレイグラフィックを映像信号処理部２１１より供給された映像信号に重ねて合成した映像信号を生成し、表示部２２０に供給する。表示部２２０は、映像出力処理部２１３より供給された上記映像信号を表示する。
【００３０】
図６は、テレビジョン受像機２００の表示部２２０に表示された番組予約画面例を示している。この番組予約画面は、いま視聴している番組の映像に重ね合わされて表示される。図５の機能選択画面において、選択項目「予約する」が選択されると、図６に示したように、各テレビ局Ａ乃至Ｅで放送される各番組の放送開始時刻と放送終了時刻を示す番組表と、番組表の中の所望の番組を選択するための矩形カーソル２２１とが表示される。
【００３１】
この例では、テレビ局Ａでは、時刻１３時００分から１４時００分まで番組Ａａ、時刻１４時００分から１５時００分まで番組Ａｂ、時刻１５時００分から１６時００分まで番組Ａｃ、時刻１６時００分から１７時００分まで番組Ａｄ、時刻１７時００分から１８時００分まで番組Ａｅが放送される。また、テレビ局Ｂでは、時刻１３時００分から１５時００分まで番組Ｂａ、時刻１５時００分から１７時３０分まで番組Ｂｂ、時刻１７時３０分以降は番組Ｂｃが放送される。
【００３２】
また、テレビ局Ｃでは、時刻１３時００分から１４時００分まで番組Ｃａ、時刻１４時００分から１６時００分まで番組Ｃｂ、時刻１６時００分から１７時００分まで番組Ｃｃ、時刻１７時００分から１８時００分まで番組Ｃｄが放送される。また、テレビ局Ｄでは、時刻１３時００分から１４時３０分まで番組Ｄａ、時刻１４時３０分から１５時００分まで番組Ｄｂ、時刻１５時００分から１７時００分まで番組Ｄｃ、時刻１７時００分から１８時００分まで番組Ｄｄが放送される。また、テレビ局Ｅでは、時刻１３時００分から１５時００分まで番組Ｅａ、時刻１５時００分から１６時３０分まで番組Ｅｂ、時刻１６時３０分から１８時００分まで番組Ｅｃが放送される。
【００３３】
この番組予約画面において、ユーザがリモコン１００のタッチパネル１０３の上下左右の所定の領域を指でタッチすると、図６に示すように、番組表の中に表示された矩形カーソル２２１が、指でタッチしたタッチパネル１０３上の領域に対応して上下左右に移動する。
【００３４】
例えば、タッチパネル１０３を上下左右の４つの領域に分割した場合の上部の領域を指で所定の基準時間以上触れたとき、画面に表示された矩形カーソル２２１は制御部２０３の制御により上方向に移動する。例えば、矩形カーソル２２１がテレビ局Ｂで放送される番組Ｂｂに対応する矩形領域を囲む位置に表示されている場合、その上のテレビ局Ａで放送されている番組Ａｃを囲む位置に移動する。
【００３５】
また、例えば、タッチパネル１０３の下部の領域を指で所定の基準時間以上触れたとき、画面に表示された矩形カーソル２２１は制御部２０３の制御により下方向に移動する。例えば、矩形カーソル２２１がテレビ局Ｂで放送される番組Ｂｂに対応する矩形領域を囲む位置に表示されている場合、その下のテレビ局Ｃで放送されている番組Ｃｃを囲む位置に移動する。
【００３６】
また、例えば、タッチパネル１０３の左側の領域を指で所定の基準時間以上触れたとき、画面に表示された矩形カーソル２２１は制御部２０３の制御により左方向に移動する。例えば、矩形カーソル２２１がテレビ局Ｂで放送される番組Ｂｂに対応する矩形領域を囲む位置に表示されている場合、その左の番組Ｂａを囲む位置に移動する。
【００３７】
また、例えば、タッチパネル１０３の右側の領域を指で所定の基準時間以上触れたとき、画面に表示された矩形カーソル２２１は制御部２０３の制御により右方向に移動する。例えば、矩形カーソル２２１がテレビ局Ｂで放送される番組Ｂｂに対応する矩形領域を囲む位置に表示されている場合、その右の番組Ｂｃを囲む位置に移動する。
【００３８】
このように、番組表の中の所望の番組を選択する番組予約画面では、タッチパネル１０３を十字キーを操作する場合と同様の感覚で操作することができ、矩形カーソル２２１を左右上下に容易に移動させることができる。
【００３９】
上記操作を行うことにより、矩形カーソル２２１を所望の番組に対応する矩形領域を囲む位置に移動させた後、ボタン１０１を指で押圧すると、制御部２０３は、矩形カーソル２２１で囲まれた矩形領域に対応する番組の視聴予約または録画予約が指示されたものと判断し、その番組の視聴予約設定、または録画予約設定を行う。即ち、視聴予約設定を行った場合には、視聴予約した番組の放送開始時刻にチャンネルをその番組が放送されるテレビ局のチャンネルに切り替える。
【００４０】
また、録画予約設定を行った場合には、録画予約した番組が放送されるチャンネル、日時、放送開始時刻、および放送終了時刻等からなる録画予約データを、テレビジョン受像機２００に接続された図示しない録画装置に送信し、録画予約を行う。
【００４１】
次に、図７のフローチャートを参照して、リモコン１００の処理手順について説明する。まず、ステップＳ１において、リモコン１００の制御部１０５により、タッチモーションセンサ１０４から供給された判定結果を示すデータに基づいて、タッチパネル１０３が操作されたか否かが判定される。その結果、タッチパネル１０３に指が触れて操作されたと判定された場合、ステップＳ２に進む。一方、タッチパネル１０３が操作されていないと判定された場合、ステップＳ８に進む。
【００４２】
ステップＳ８においては、ボタン１０１が操作されたか否かが判定される。その結果、ボタン１０１が操作されていないと判定された場合、ステップＳ１に戻り、ステップＳ１以降の処理が繰り返し実行される。一方、ボタン１０１が操作されたと判定された場合、ステップＳ９に進む。ステップＳ９においては、制御部１０５により、ボタン１０１が操作されたことを示すデータが生成され、発光制御部１１０に供給される。発光制御部１１０は、制御部１０５より供給されたデータに基づいて発光部１１１を制御する。発光部１１１は、発光制御部１１０の制御に従って赤外線を発光し、上記データを赤外線により送信する。その後、ステップＳ１に戻り、ステップＳ１以降の処理が繰り返し実行される。
【００４３】
ステップＳ２においては、タッチパネル１０３に指で触れたままスライドさせるスライド操作がされたか否かが判定される。その結果、スライド操作がされたと判定された場合、ステップＳ３に進む。一方、スライド操作がされていないと判定された場合、ステップＳ１０に進む。
【００４４】
ステップＳ３においては、制御部１０５により、タッチパネル１０３の上半分の領域においてスライド操作がされたか否かが判定される。その結果、タッチパネル１０３の上半分の領域においてスライド操作がされたと判定された場合、ステップＳ４に進む。一方、タッチパネル１０３の下半分の領域においてスライド操作がされたと判定された場合、ステップＳ７に進む。
【００４５】
ステップＳ７においては、制御部１０５により、タッチパネル１０３の操作状況に対応する音量制御データが生成され、発光制御部１１０に供給される。発光制御部１１０は、制御部１０５より供給された音量制御データに基づいて発光部１１１を制御し、音量制御データに対応する赤外線が出射される。その後、ステップＳ１に戻り、ステップＳ１以降の処理が繰り返し実行される。
【００４６】
一方、ステップＳ４においては、制御部１０５により、タッチパネル１０３を指を撫でる方向（スライド方向）が右方向（時計回りの方向）であるか否かが判定される。その結果、スライド方向が右方向であると判定された場合、ステップＳ５に進む。一方、スライド方向が左方向（反時計回りの方向）であると判定された場合、ステップＳ６に進む。
【００４７】
ステップＳ５においては、制御部１０５により、タッチパネル１０３上を指で右方向（時計回りの方向）にスライドされたことを示すデータが生成され、発光制御部１１０に供給される。発光制御部１１０は、制御部１０５より供給されたデータに基づいて発光部１１１を制御する。発光部１１１は、発光制御部１１０の制御に従って赤外線を発光し、上記データを赤外線により送信する。その後、ステップＳ１に戻り、ステップＳ１以降の処理が繰り返し実行される。
【００４８】
一方、ステップＳ６においては、制御部１０５により、タッチパネル１０３上を指で左方向（反時計回りの方向）にスライドされたことを示すデータが生成され、発光制御部１１０に供給される。
【００４９】
発光制御部１１０は、制御部１０５より供給されたデータに基づいて発光部１１１を制御する。発光部１１１は、発光制御部１１０の制御に従って赤外線を発光し、上記データを赤外線により送信する。その後、ステップＳ１に戻り、ステップＳ１以降の処理が繰り返し実行される。
【００５０】
また、ステップＳ１０においては、制御部１０５により、タッチモーションセンサ１０４から供給されるデータに基づいて、タッチパネル１０３が指で一定時間以上触れられた位置（タッチパネル１０３を上下左右に仮想的に４つの領域に分割したときの各領域のいずれか）を認識し、その位置を示すデータを発光制御部１１０に供給する。
【００５１】
発光制御部１１０は、制御部１０５より供給されたデータに基づいて発光部１１１を制御する。発光部１１１は、発光制御部１１０の制御に従って赤外線を発光し、上記データを赤外線により送信する。その後、ステップＳ１に戻り、ステップＳ１以降の処理が繰り返し実行される。
【００５２】
次に、テレビジョン受像機２００の処理手順について、図８のフローチャートを参照して説明する。まず、ステップＳ２１において、テレビジョン受像機２００の制御部２０３により、リモコン１００の発光部１１１から赤外線によって送信されたデータが受光部２０１によって受光されたとき、受光部２０１によって受光された赤外線に対応するデータがタッチパネル１０３上を指で右方向（時計回りの方向）にスライドされたことを示すものであるか否かが判定される。
【００５３】
その結果、受光部２０１によって受光された赤外線に対応するデータがタッチパネル１０３上を指で右方向（時計回りの方向）にスライドされたことを示すものであると判定された場合、ステップＳ２２に進み、現在、テレビジョン受像機２００のモードがリモコン１００からの左右へのスライド操作を受け付けるスライドモードになっているか否かが判定される。
【００５４】
即ち、リモコン１００のタッチパネル１０３上で指を左右へスライドさせる操作が可能な例えば図５に示すような機能選択画面が表示部２２０に表示されている場合、テレビジョン受像機２００のモードは制御部２０３の制御によりスライドモードに設定される。一方、リモコン１００のタッチパネル１０３上の上下左右の領域を指でタッチする操作が可能な例えば図６に示すような番組予約画面が表示部２２０に表示されている場合、テレビジョン受像機２００のモードは制御部２０３の制御によりタッチモードに設定される。
【００５５】
ステップＳ２２において、現在のモードがスライドモードではないと判定された場合、ステップＳ２１に戻り、ステップＳ２１以降の処理が繰り返し実行される。一方、現在のモードがスライドモードであると判定された場合、ステップＳ２３に進む。
【００５６】
一方、ステップＳ２１において、受光部２０１によって受光された赤外線に対応するデータがタッチパネル１０３上を指で右方向（時計回りの方向）にスライドされたことを示すものではないと判定された場合、ステップＳ２４に進む。
【００５７】
ステップＳ２３においては、制御部２０３により、制御信号に対応する処理が実行される。例えば、図５に示したような機能選択画面が表示されている場合、制御部２０３は、各選択項目「録画を見る」、「予約する」、「データを見る」を所定の距離だけ右方向に移動させたオーバレイグラフィックを作成し、映像出力処理部２１３に出力するようオーバレイグラフィック処理部２０４に指令する。
【００５８】
オーバレイグラフィック処理部２０４は、制御部２０３からの指令に基づいて、各選択項目を所定の距離だけ右方向に移動させたオーバレイグラフィックを作成し、映像出力処理部２１３に出力する。映像出力処理部２１３は、オーバレイグラフィック処理部２０４より供給されたオーバレイグラフィックを映像信号処理部２１１より供給された映像信号に重ねて合成した映像信号を生成し、表示部２２０に供給する。表示部２２０は、映像出力処理部２１３より供給された上記映像信号を表示する。
【００５９】
その後、ステップＳ２１に戻り、ステップＳ２１以降の処理が繰り返し実行される。ステップＳ２３の処理が繰り返し実行されることにより、表示部２２０の画面上に表示された各選択項目は視覚的には所定のスピードで右方向に移動するように認識される。
【００６０】
また、ステップＳ２４においては、テレビジョン受像機２００の制御部２０３により、リモコン１００の発光部１１１から赤外線によって送信されたデータが受光部２０１によって受光されたとき、受光部２０１によって受光された赤外線に対応するデータがタッチパネル１０３上を指で左方向（反時計回りの方向）にスライドされたことを示すものであるか否かが判定される。
【００６１】
その結果、受光部２０１によって受光された赤外線に対応するデータがタッチパネル１０３上を指で左方向（反時計回りの方向）にスライドされたことを示すものであると判定された場合、ステップＳ２５に進み、現在、テレビジョン受像機２００のモードがリモコン１００からの左右へのスライド操作を受け付けるスライドモードになっているか否かが判定される。
【００６２】
その結果、現在のモードがスライドモードではないと判定された場合、ステップＳ２１に戻り、ステップＳ２１以降の処理が繰り返し実行される。一方、現在のモードがスライドモードであると判定された場合、ステップＳ２６に進む。
【００６３】
一方、ステップＳ２４において、受光部２０１によって受光された赤外線に対応するデータがタッチパネル１０３上を指で左方向（反時計回りの方向）にスライドされたことを示すものではないと判定された場合、ステップＳ２７に進む。
【００６４】
ステップＳ２６においては、制御部２０３により、制御信号に対応する処理が実行される。例えば、図５に示したような機能選択画面が表示されている場合、各選択項目「録画を見る」、「予約する」、「データを見る」を所定の距離だけ左方向に移動させたオーバレイグラフィックを作成し、映像出力処理部２１３に出力するようオーバレイグラフィック処理部２０４に指令する。
【００６５】
オーバレイグラフィック処理部２０４は、制御部２０３からの指令に基づいて、各キーを所定の距離だけ左方向に移動させたオーバレイグラフィックを作成し、映像出力処理部２１３に出力する。映像出力処理部２１３は、オーバレイグラフィック処理部２０４より供給されたオーバレイグラフィックを映像信号処理部２１１より供給された映像信号に重ねて合成した映像信号を生成し、表示部２２０に供給する。表示部２２０は、映像出力処理部２１３より供給された上記映像信号を表示する。
【００６６】
その後、ステップＳ２１に戻り、ステップＳ２１以降の処理が繰り返し実行される。ステップＳ２６の処理が繰り返し実行されることにより、表示部２２０の画面上に表示された各選択項目は視覚的には所定のスピードで左方向に移動するように認識される。
【００６７】
また、ステップＳ２７においては、テレビジョン受像機２００の制御部２０３により、リモコン１００の発光部１１１から赤外線によって送信されたデータが受光部２０１によって受光されたとき、受光部２０１によって受光された赤外線に対応するデータがタッチパネル１０３上を所定の基準時間以上指で触れられた位置を示すものであるか否かが判定される。
【００６８】
その結果、受光部２０１によって受光された赤外線に対応するデータがタッチパネル１０３上を所定の基準時間以上指で触れられた位置を示すものであると判定された場合、ステップＳ２８に進み、現在のモードがタッチモードであるか否かが判定される。現在のモードがタッチモードではないと判定された場合、ステップＳ２１に戻り、ステップＳ２１以降の処理が繰り返し実行される。一方、現在のモードがタッチモードであると判定された場合、ステップＳ２９に進む。
【００６９】
一方、ステップＳ２７において、受光部２０１によって受光された赤外線に対応するデータがタッチパネル１０３上を所定の基準時間以上指で触れられた位置を示すものではないと判定された場合、ステップＳ３０に進む。
【００７０】
ステップＳ２９においては、制御部２０３により、制御信号に対応する処理が実行される。例えば、図６に示したような番組予約画面が表示されている場合、番組表とともに表示された矩形カーソル２２１が、タッチパネル１０３上での上記位置に対応して移動する。
【００７１】
即ち、タッチパネル１０３上の上部の領域が指で所定の基準時間以上触れられた場合、制御部２０３は、矩形カーソル２２１を１行分だけ上に移動させたオーバレイグラフィックを作成し、映像出力処理部２１３に出力するようオーバレイグラフィック処理部２０４に指令する。また、タッチパネル１０３上の下部の領域が指で所定の基準時間以上触れられた場合、矩形カーソル２２１を１行分だけ下に移動させたオーバレイグラフィックを作成し、映像出力処理部２１３に出力するようオーバレイグラフィック処理部２０４に指令する。
【００７２】
また、タッチパネル１０３上の左側の領域が指で所定の基準時間以上触れられた場合、矩形カーソル２２１を１列分だけ左に移動させたオーバレイグラフィックを作成し、映像出力処理部２１３に出力するようオーバレイグラフィック処理部２０４に指令する。また、タッチパネル１０３上の右側の領域が指で所定の基準時間以上触れられた場合、矩形カーソル２２１を１列分だけ右に移動させたオーバレイグラフィックを作成し、映像出力処理部２１３に出力するようオーバレイグラフィック処理部２０４に指令する。
【００７３】
オーバレイグラフィック処理部２０４は、制御部２０３からの指令に基づいて、矩形カーソル２２１を指示された方向に移動させたオーバレイグラフィックを作成し、映像出力処理部２１３に出力する。映像出力処理部２１３は、オーバレイグラフィック処理部２０４より供給されたオーバレイグラフィックを映像信号処理部２１１より供給された映像信号に重ねて合成した映像信号を生成し、表示部２２０に供給する。表示部２２０は、映像出力処理部２１３より供給された上記映像信号を表示する。
【００７４】
その後、ステップＳ２１に戻り、ステップＳ２１以降の処理が繰り返し実行される。ステップＳ２９の処理が繰り返し実行されることにより、表示部２２０の画面上に表示された矩形カーソル２２１が、リモコン１００のタッチパネル１０３の操作に応じて上下左右に移動する。
【００７５】
ステップＳ３０においては、制御部２０３により、リモコン１００の発光部１１１から赤外線によって送信されたデータが受光部２０１によって受光されたとき、受光部２０１によって受光された赤外線に対応するデータがボタン１０１が操作されたことを示すものであるか否かが判定される。
【００７６】
その結果、受光部２０１によって受光された赤外線に対応するデータがボタン１０１が操作されたことを示すものであると判定された場合、ステップＳ３１に進む。ステップＳ３１においては、制御部２０３により、ボタン１０１が操作されたときにステップＳ２３、ステップＳ２６、またはステップＳ２９において選択された選択項目に対応する処理が実行される。
【００７７】
即ち、図５に示すような機能選択画面が表示部２２０の画面に表示されている場合、ステップＳ２３またはステップＳ２６の処理によって、画面に表示された選択項目が左右に円弧状に移動する。そして、ボタン１０１が押されたとき、ステップＳ３１の処理によって、画面中央のカーソル上に移動した選択項目に対応する処理が実行される。この例では、図５に示した機能選択画面においては、制御部２０３により、選択項目「予約する」に対応する処理が実行され、図６に示すような番組予約画面が表示される。
【００７８】
また、図６に示すような番組予約画面が表示部２２０の画面に表示されている場合、ステップＳ２９の処理によって、画面に表示された番組表に重ねて表示された矩形カーソル２２１が、リモコン１００のタッチパネル１０３上の指で触れられた位置に応じて上下左右に移動する。そして、ボタン１０１が押されたとき、ステップＳ３１の処理によって、画面に表示された矩形カーソル２２１によって囲まれている番組の視聴または録画が予約される。
【００７９】
このように、図５に示した機能選択画面では、リモコン１００のタッチパネル１０３をスライド操作することによって所望の選択項目を選択することができ、図６に示したような番組予約画面では、リモコン１００のタッチパネル１０３を十字キーを操作する場合と同様の感覚で操作することができ、矩形カーソル２２１を上下左右に容易に移動させて所望の選択項目を選択することができる。
【００８０】
ステップＳ３１の処理が終了すると、ステップＳ２１に戻り、ステップＳ２１以降の処理が繰り返し実行される。一方、ステップＳ３０において、受光部２０１によって受光された赤外線に対応するデータがボタン１０１が操作されたことを示すものではないと判定された場合、ステップＳ２１に戻り、ステップＳ２１以降の処理が繰り返し実行される。
【００８１】
以上説明したように、タッチパネル１０３を指で円弧状に時計回りまたは反時計回りに撫でたり、タッチパネル１０３の上下左右の各領域を指で一定時間以上触れることによって、感覚的かつ容易に所望の機能の選択、視聴予約または録画予約する番組の選択、あるいはその他の各種設定項目の選択を行うことができ、各種機能の実行を指示することができる。
【００８２】
なお、上記実施の形態の構成及び動作は例であって、本発明の趣旨を逸脱しない範囲で適宜変更することができることは言うまでもない。
【産業上の利用可能性】
【００８３】
本発明の活用例として、例えば、録画装置やカーナビゲーションシステム等をリモートコントロールするリモコン等に本発明を適用することができる。
【図面の簡単な説明】
【００８４】
【図１】本発明におけるリモコンの一実施の形態の外観と操作方法を示す図である。
【図２】本発明におけるリモコンの一実施の形態の外観と他の操作方法を示す図である。
【図３】図１のリモコンの構成例を示すブロック図である。
【図４】図１のリモコンによって制御されるテレビジョン受像機の構成例を示すブロック図である。
【図５】表示部に表示された機能選択画面例を示す図である。
【図６】表示部に表示された番組予約画面例を示す図である。
【図７】リモコンの処理手順を説明するためのフローチャートである。
【図８】テレビジョン受像機の処理手順を説明するためのフローチャートである。
【符号の説明】
【００８５】
１００  リモコン
１０１  ボタン
１０２，２０２  インタフェース（Ｉ／Ｆ）
１０３  タッチパネル
１０４  タッチモーションセンサ
１０５，２０３  制御部
１０６  ＬＥＤ制御部
１０７  ＬＥＤ
１１０  発光制御部
１１１  発光部
２００  テレビジョン受像機
２０１  受光部
２０４  オーバレイグラフィック処理部
２０６  音声処理部
２１０  チューナ
２１１  映像信号処理部
２１２  音声信号処理部
２１３  映像出力処理部
２１４  音声出力処理部
２２０  表示部
２２１  矩形カーソル
２３０  スピーカ
【図１】
2006279137.tif 000003
【図２】
2006279137.tif 000004
【図３】
2006279137.tif 000005
【図４】
2006279137.tif 000006
【図５】
2006279137.tif 000007
【図６】
2006279137.tif 000008
【図７】
2006279137.tif 000009
【図８】
2006279137.tif 000010